(57)【要約】【課題】取り付け作業において、開閉口部が瞬時に集縛閉口され、果菜類保護カバーの取り付け作業を短時間かつ容易に行なうことが出来る果菜類保護カバーを提供することを課題とする。【解決手段】  紐の操作により開閉口する果菜類保護カバーであって、シートと紐とクランプとを有し、前記シートは、前記紐を誘導するガイド部を有し、前記紐は、前記ガイド部を通る導通部と、前記クランプを貫通する貫通部と、前記シートの外側にある露出部とを有し、前記クランプは、前記シートの端部に設けられ、前記紐または前記シートを挟持するものであり、閉口動作は、前記露出部を引くことにより、前記露出部の長さを増加させ、前記導通部長さを減少させるものであり前記動作により折り畳まれた前記シートは前記クランプのシート側を外側に押し広げると共に、前記クランプの露出部側に前記紐を挟持させ、閉口を保つことを特徴とする。 【選択図】図２
2013158268.tif 000002
【特許請求の範囲】
【請求項１】
紐操作により開閉口する果菜類保護カバーであって、
前記果菜類保護カバーは、
シート（２）と紐（３）とクランプ（４）とを有し、
前記シート（２）は、
前記紐（３）を誘導するガイド部（２０）を有し、
前記紐（３）は、
前記ガイド部（２０）を通る導通部（３０）と、
前記クランプ（４）を貫通する貫通部（３１）と、
前記シート（２）の外側にある露出部（３２）とを有し、
前記クランプ（４）は、
前記シート（２）の端部に設けられ、
前記紐（３）または前記シート（２）を挟持するものであり、
閉口動作は、
前記露出部（３２）を引くことにより、
前記露出部（３２）長さを増加させ、
前記導通部（３０）長さを減少させるものであり、
前記動作により折り畳まれた前記シート（２）は、
前記クランプ（４）のシート（２）側を外側に押し広げると共に、
前記クランプ（４）の露出部（３２）側に前記紐（３）を挟持させ、
閉口を保つ
ことを特徴とする果菜類保護カバー。
【請求項２】
請求項１記載の閉口が保たれた状態において、
前記クランプ（４）のシート（２）側を挟むことにより開口可能となる、
ことを特徴とする請求項１記載の果菜類保護カバー。
【請求項３】
前記果菜類保護カバーは多角形形状であり、
前記多角形の少なくとも一辺を開閉口部（１０）とすると共に、
前記シート（２）を袋状とした、
ことを特徴とする請求項２記載の果菜類保護カバー。
【請求項４】
袋状とした前記シート（２）の底（２１）側に、
少なくもと一つ以上の孔（２２）を設けた
ことを特徴とする請求項３記載の果菜類保護カバー。
【請求項５】
袋状とした前記シート（２）の底（２１）全てを孔（２２）とし、
円筒状シートとした
ことを特徴とする請求項４記載の果菜類保護カバー。
【請求項６】
前記シート（２）の前記クランプ（４）と対向するもう一端には、
前記露出部（３２）を係留する留め具（５）が設けられている
ことを特徴とする請求項１乃至５のいずれかに記載の果菜類保護カバー。
【請求項７】
前記シート（２）の前記クランプ（４）と対向するもう一端には、
対抗紐（６）と対向クランプ（７）とが設けられており、
前記対向紐（６）は、
前記ガイド部（２０）を通る対向導通部（６０）と、
前記対向クランプ（７）を貫通する対向貫通部（６１）と、
前記シート（３）の外側にある対向露出部（６２）とを有し、
前記閉口動作は、
前記露出部（３２）と前記対向露出部（６２）とを引くことによりなされる
ことを特徴とする請求項１乃至５のいずれかに記載の果菜類保護カバー。
【請求項８】
請求項７記載の閉口が保たれた状態において、
前記クランプ（４）のシート（２）側と
前記対向クランプ（７）のシート（２）側とを
挟むことにより開口可能となる、
ことを特徴とする請求項７記載の果菜類保護カバー。
【請求項９】
前記シート（２）の上側（２３）と下側（２４）とが、異なる材質である
ことを特徴とする請求項１乃至８のいずれかに記載の果菜類保護カバー。
【発明の詳細な説明】
【技術分野】
【０００１】
本発明は、果菜類への果菜類保護カバー取り付け、取り外し作業を簡便化して、これら作業費の削減と作業者の疲労を軽減しようとする果菜類保護カバーに関するものである。
この発明において果菜類とは、果物や野菜類の概念である。果菜類として、例えば、葡萄、梨、林檎、びわ、柑橘類およびナス、きゅうり、トマトなどを例示することができる。
【背景技術】
【０００２】
従来から、果菜類の品質を高めるために果菜類保護カバーを用いて、病害虫害鳥風雨による被害の予防や、農薬散布時の農薬が果菜類表皮に付着するのを抑制する目的で用いられている。
このような果菜類保護カバーとして以下のような従来技術（特許文献１〜４）がみられる。
【０００３】
〔特許文献１の技術〕
特許文献１には、梨全体に被覆された袋本体の開口部を集束し、袋本体の開口側縁部に添付される閉塞バンドを巻回して、袋本体の開口部を閉塞した状態に固定する技術が記載されている。
【０００４】
〔特許文献１の課題〕
しかしながら、通常、葡萄や梨などは、葡萄棚や梨棚に夫々沿わせて栽培されており、作業者の頭上に位置するように栽培されている。このような位置関係において、葡萄や梨に袋付け作業をする場合、特許文献１記載の発明は、葡萄や梨に対して、顔を上向きにしながら両手を顔面の上方に差し伸べて行われ、袋本体の開口部を収束し閉塞バンド（針金など）で固定する作業を、梨園の場合十アール当たり五千乃至一万個の果実に行なうものである。通常このような作業は数日乃至数十日におよぶ、このような長時間の作業で足腰と手や指に大きな負担がかかり腱鞘炎になり易く、また、指を負傷することもあるなど前述の作業は大変な体力と時間を要し苦痛と疲労を伴うものであった。（課題１）
【０００５】
また、特許文献１記載の被覆袋は、取り除き作業を行なう際に、被覆袋に形成されるミシン目を介して破かれてしまい再利用が出来ないという課題があった。（課題２）
【０００６】
〔特許文献２の技術〕
このような課題１、２を解決する為に、特許文献２には、「果実袋の開口部から水分等の浸入をより確実に防止するため、開口部４を開閉自在に水封するチャック部材５およびその内面中心近傍に果実の枝を着脱自在に覆う枝覆い部６等を設けた構成の果実袋」が記載されている。
【０００７】
〔特許文献２の課題〕
しかしながら、特許文献２記載の従来技術では、図３，４，５にみられるように果実Ｆの体積よりも数倍大きな内空部を有する空間と外表面が流線形状の果実袋１には果実の枝Ｓを囲周させて装着される枝被い部６が果実の枝Ｓを中心とする果実袋１の軸が形成される。このため、果実袋１の表面には風向きに対する指向性が生じてモーメントが枝Ｓを回転軸として作用し、枝Ｓは、常に風向きと風力の大きさにしたがって捻られている。したがって捻りによる果実の生育障害や果実の落果が懸念される。（課題３）
【０００８】
そして、袋掛け作業を行われる果樹園では、枝条、茎葉などの新陳代謝に伴う老廃物および鳥類の糞、或は埃などの異物が少なからず存在する。これらの異物は、袋のチャック部に挟まり、保護袋の密封性と開閉操作に支障をきたす恐れがあると共に、チャック部を大陽光に長時間晒された場合に、これらチャック部の硬直化および劣化が懸念される。（課題４）
【０００９】
〔特許文献３、４の技術〕
このような課題３を解決可能な特許文献３には、「強風時の果実生育阻害、落果防止を図るため滑りとめとなる突起又は段差を設けた果実袋２０１を使用し、止め金４０１先端の板状中央部分に設けた穴に通してねじることにより、果実の枝に容易に取り付け可能で、かつ、つかみ金具３０１で果実袋２０１を把持し、止め金４０１中央部をねじることにより張力を与えて、果実袋２０１が風であおられない果実袋」がみられる。
【００１０】
また、課題４を解決するために、特許文献４には、「管理者および農機具等、果実を傷つける様々な外的要因や農薬から果実を保護しつつ、果実の十分な生育を促し、果実への取り付けおよび取り外しが容易であって繰り返し使用可能な経済性の高い果菜類の保護カバー」がみられる。
【００１１】
〔特許文献３、４の課題〕
しかしながら、特許文献３に記載の従来技術は、強風時の果実生育阻害、落果防止に確実に有効であるものの果実の固体数の二倍の滑りとめとなる突起又は段差を設けた果実袋２０１、支持部材１０２、つかみ金具３０１、とめ金４０１など、相当数の付帯部材を必要とする。このことから、部材費の高騰が懸念される。（課題５）
【００１２】
また、特許文献３にみられる果実袋２０１を取り付ける作業は、果実袋２０１の両側に果物の枝或は支持部材と、つかみ金具３０１との間に架け渡されるとめ金４０１の中間部分とを、夫々手でねじって１〜２Ｋｇｆもの張力を与えるものである。この作業は、相当の熟練が求められると共に、体力と時間とが必要とみられ、作業費と作業者の疲労増大とが懸念される。（課題６）
【００１３】
そして、特許文献４記載の従来技術は、固形化される果菜類保護カバーを果実に浮動する態様で装着される。このため、風力或は管理作業者および農機具等との接触による外的要因によって果菜類保護カバーが揺らされた場合に、容器の内壁と果実の表面とが擦れ合って果実へのキズ付きが懸念される。（課題７）
【００１４】
また、特許文献４記載の従来技術は、薄いシートによって形成される保護カバーは固形物である。このため果菜類保護カバー不使用（シーズンオフ）時に必要とされる保護カバーを収容する容器の大型化とこれらの容器を保管するスペースの増大が懸念される。（課題８）
【先行技術文献】
【特許文献】
【００１５】
【特許文献１】特開平９−９８６７６
【００１６】
【特許文献２】特開２００９−２０７４６８
【００１７】
【特許文献３】特開２００２−３１５４５０
【００１８】
【特許文献４】特開２００８−１９３９３１
【発明の概要】
【発明が解決しようとする課題】
【００１９】
本発明が解決しようとする課題は、上記（課題１）〜（課題８）を解消すると共に、下記のニーズ〔００１７〕〜〔００２４〕等に応えようと鑑みてなされたものである。
【００２０】
従来技術である特許文献１を踏まえると、保護袋の取り付けに要する作業時間をより短縮し、作業の効率化が求められている。（ニーズ１）
【００２１】
また、被服袋を破損することなく容易に、かつ、素早く被覆袋を取り除く手段の提案が求められている。（ニーズ２）
【００２２】
従来技術である特許文献２を踏まえると、果実の生育障害や果実の落果を生じる風による捻り力を減少させる被覆袋が求められている。（ニーズ３）
【００２３】
また、長期間の耐久性を有する被覆袋が求められている。（ニーズ４）
【００２４】
従来技術である特許文献３を踏まえると、部品点数が少なく且つ利便性に優れ、安価な果実袋が求められている。（ニーズ５）
【００２５】
また、体力の消耗が軽減され、女性や高齢者でも取り付けが簡単に行える果菜類保護カバーが求められている。（ニーズ６）
【００２６】
従来技術である特許文献４を踏まえると、外的要因により果菜類に傷が付くのを防止できる果菜類保護カバーが求められている。（ニーズ７）
【００２７】
また、収納性に優れ保管費用を軽減可能な果菜類保護カバーが求められている。（ニーズ８）
【課題を解決するための手段】
【００２８】
上記課題を解決すると共に、上記（ニーズ１）〜（ニーズ８）に応えようとする本発明は以下の手段を用いた。
【００２９】
請求項１記載の発明は、紐３の操作により開閉口する果菜類保護カバーであって、シート２と紐３とクランプ４とを有し、前記シート２は、前記紐３を誘導するガイド部２０を有し、前記紐３は、前記ガイド部２０を通る導通部３０と、前記クランプ４を貫通する貫通部３１と、前記シート２の外側にある露出部３２とを有し、前記クランプ４は、前記シート２の端部に設けられ、前記紐３または前記シート２を挟持するものであり、閉口動作は、前記露出部３２を引くことにより、前記露出部３２の長さを増加させ、前記導通部３０長さを減少させるものであり前記動作により折り畳まれた前記シート２は前記クランプ４のシート２側を外側に押し広げると共に、前記クランプ４の露出部３２側に前記紐３を挟持させ、閉口を保つことを特徴とする。
【００３０】
請求項２記載の発明は、請求項１記載の閉口が保たれた状態において、前記クランプ４のシート２側を挟むことにより開口可能となる、ことを特徴とする。
【００３１】
請求項３記載の発明は、請求項２記載の果菜類保護カバーにおいて、前記果菜類保護カバーが多角形形状であり、前記多角形の少なくとも一辺を開閉口部１０とすると共に、前記シート２を袋状としたことを特徴とする。
【００３２】
請求項４記載の発明は、請求項３記載の果菜類保護カバーにおいて、袋状とした前記シート２の底２１側に、少なくもと一つ以上の孔２２を設けたことを特徴とする。
【００３３】
請求項５記載の発明は、請求項４記載の果菜類保護カバーにおいて、袋状とした前記シート２の底２１全てを孔２２とし、円筒状シート２としたことを特徴とする。
【００３４】
請求項６記載の発明は、請求項５記載の果菜類保護カバーにおいて、前記シート２の前記クランプ４と対向するもう一端に、前記露出部３２を固定する留め具５が設けられていることを特徴とする。
【００３５】
請求項７記載の発明は、請求項１乃至５のいずれかに記載の果菜類保護カバーにおいて、前記シート２の前記クランプ４と対向するもう一端に、対抗紐６と対向クランプ７とが設けられており、前記対向紐６は、前記ガイド部２０を通る対向導通部６０と、前記対向クランプ７を貫通する対向貫通部６１と、前記シート２の外側にある対向露出部６２とを有し、前記閉口動作は、前記露出部３２と前記対向露出部６２とを引くことによりなされることを特徴とする。
【００３６】
請求項８記載の発明は、請求項７記載の果菜類保護カバーにおいて、請求項７記載の閉口が保たれた状態において、前記クランプ４のシート２側と前記対向クランプ７のシート２側とを挟むことにより開口可能となる、ことを特徴とする。
【００３７】
請求項９記載の発明は、請求項１乃至８のいずれかに記載の果菜類保護カバーにおいて、前記シート２の上側と下側が、異なる材質であることを特徴とする。
【発明の効果】
【００３８】
上記発明によれば、果菜類保護カバーの取り付け作業に伴い開閉口部１０を閉口する場合は、クランプ４を挟持しながら、つまみ部３３を引くことにより、開閉口部１０が瞬時に集縛閉口され、果菜類保護カバーの取り付け作業を短時間でしかも容易に行なうことが出来る。
そして、上記形態において、果菜類保護カバーの取り外し作業に伴い開閉口部１０を開口する場合は、クランプ４の対向側端部を挟持しながら夫々外向きに引くことにより開閉口部１０が瞬時に解縛開放され果菜類保護カバーの取り外し作業を短時間でしかも容易に行なうことが出来る。
このようにして果菜類保護カバーの取り付けおよび取り外し作業が格段に簡便化されるため、これらの作業に伴う人件費と、該作業をされる人々の疲労を軽減することが出来る。
【図面の簡単な説明】
【００３９】
【図１】図１は果菜類保護カバーの取り付け時の斜視図である。（実施例１）
【図２】図２は果菜類保護カバーの閉口作業の側面図である。（実施例１）
【図３】図３（ａ）は、果菜類保護カバーの開口状態の上面図である。（実施例１）図３（ｂ）は、果菜類保護カバーの開口状態の側面図である。（実施例１）
【図４】図４（ａ）は、果菜類保護カバーの閉口作業途中の上面図である。（実施例１）図４（ｂ）は、果菜類保護カバーの閉口作業途中の側面図である。（実施例１）
【図５】図５（ａ）は、クランプの斜視図である。（実施例１）〜（実施例３）図５（ｂ）は、クランプの側面図である。（実施例１）〜（実施例３）図５（ｃ）は、クランプのＡ−Ａ断面図である。（実施例１）〜（実施例３）図５（ｄ）は、クランプのＢ−Ｂ断面図である。（実施例１）〜（実施例３）
【図６】図６は、果菜類保護カバーの取り付け時の斜視図である。（実施例２）
【図７】図７は、果菜類保護カバーの閉口作業の側面図である。（実施例２）
【図８】図８は、取り付け済み果菜類保護カバーの側面図である。（実施例２）
【図９】図９（ａ）は、果菜類保護カバーの開口状態の上面図である。（実施例２）図９（ｂ）は、果菜類保護カバーの開口状態の側面図である。（実施例２）
【図１０】図１０（ａ）は、果菜類保護カバーの閉口作業途中の上面図である。（実施例２）図１０（ｂ）は、果菜類保護カバーの閉口作業途中の側面図である。（実施例２）
【図１１】図１１（ａ）は、留め具の斜視図である。（実施例２）図１１（ｂ）は、留め具の側面図である。（実施例２） 図１１（ｃ）は、留め具のＡ−Ａ断面図である。（実施例２）
【図１２】図１２は、果菜類保護カバーの取り付け時の斜視図である。（実施例３）
【図１３】図１３は、果菜類保護カバーの閉口作業の側面図である。（実施例３）
【図１４】図１４（ａ）は、果菜類保護カバーの開口状態の上面図である。（実施例３）図１４（ｂ）は、果菜類保護カバーの開口状態の側面図である。（実施例３）
【図１５】図１５（ａ）は、果菜類保護カバーの閉口作業途中の上面図である。（実施例３）図１５（ｂ）は、果菜類保護カバーの閉口作業途中の側面図である。（実施例３）
【発明を実施するための形態】
【００４０】
以下、本発明の果菜類保護カバーを、複数の実施例により図面を参照しながら説明する。なお、複数の実施例において、先の実施例と後の実施例とで実質的に同一の部材、或は同一の部分があるときには、互いに同一の符号を用い後の実施例において詳細な説明は省略することとする。
また、果菜類保護カバーは、実施例１においては果菜類保護カバー１１、実施例２においては果菜類保護カバー１２、実施例３においては果菜類保護カバー１３と記載した。
【実施例１】
【００４１】
「実施例１の構成」
図１〜図５は本実施例１を示し、図１にみられる形態において、図３にみられるようにクランプ４に備える第一片露出側４２および第二片露出側４４が夫々開かれており、紐３は、第一片シート側４１および第二片シート側４３側への移動が許容される状態となっており紐３はシート２側へ最も移動された状態となっている。果菜類保護カバー１１を手Ｈおよび指Ｆを介して葡萄Ｇに取り付けようとされている状態を示し、この状態における果菜類保護カバー１１は、その内空容積を最大に拡大するため、シート２は外方に向けて大きく膨らんでいる。そして、開閉口部１０も最大に開口されている。これにより果菜類保護カバー１１を葡萄Ｇにスムーズに被せることができる。
【００４２】
図１にみられるように紐３は、図１，２および図３（ａ）図（３ｂ）にみられる折り返し部３４（拡大図省略）近傍の側端部の周部を巻回された後、中点で粗二等分され、シート２に形成されるガイド２０内に導かれ、図５（ｃ）にみられる貫通孔４５に挿通され、露出部３２を経て、つまみ部３３により紐３の端末が結合される。
【００４３】
図３に示すクランプ４のシート２側の略Ｖ字状内角と側端部２５の外側とを適宜の接着剤により貼着されている。（詳細図省略）これにより開閉口部１０の開口、閉口動作に伴って側端部とクランプ４は常に一体的に移動する。
【００４４】
図５に示すクランプ４は例えば耐久性に優れる合成樹脂などにより形成され、図５（ａ）に示す斜視図を平面視した場合に略Ｖ字状を形成しており、該Ｖ字状の底部近傍を幅方向に貫かれており、可撓性材料からなる支点４０と支点軸Ｚが形成される。
【００４５】
図３（ａ）および図４（ａ）と５（ｄ）にみられる第一片シート側４１および第二片シ
ート側４３を夫々内側へ付勢するように支点軸Ｚは構成されている。これにより紐３を挟持する第一片露出側４２および第二片露出側４４は通常開放された状態にあり、この状態において紐３は所定の範囲内においてその移動が許容される。
【００４６】
図４（ａ）の拡大図にみられるように、紐３を挟持する第一片露出側４２および第二片露出側４４の先端の断面は鋭利な三角形の頂点のような形状からなり、その先端は露出部３２側に向けて配置されている。
【００４７】
図４（ａ）に示すように開閉口部１０の完全なる閉口の直前における紐３は、第一片露出側４２および第二片露出側４４の先端挟持部（詳細部位符号省略）により挟持されつつある状態を示し、この状態において、紐３の牽引を中止されると自動的に作動する第二片露出側４４の先端挟持部の逆止機能により紐３がシート２側への移動は阻止される。
そして、上記状態から開閉口部１０を完全に閉じるため紐３を露出部３２側へ牽引されると第二片露出側４４の先端挟持部の逆止機能は自動的に無効化され紐３の露出部３２側のみの移動は許容される。
【００４８】
図１に破断線で示されるガイド２０および図２、図３（ａ）、図３（ｂ）、図４（ａ）、図４（ｂ）にみられるガイド２０はシート２の開閉口部１０側端部の適宜長さを果菜類保護カバー１１の外側に向けて折り曲げられたシート２の端部を接着剤により貼り合わされ接着部２６が形成され、かつその内部をトンネル状のガイド部２０が形成される。これにより紐３はガイド部２０内の所定位置に収容され、紐３はガイド部２０によって好適にガイドされる。
【００４９】
果菜類保護カバー１１の底部などに一箇所以上の通気或は排水用の孔２２が形成されている。この孔２２から害虫などが果菜類保護カバー１１内に浸入する場合は孔２２に通水性、通気性を有する適宜の織布或は網を貼り付けて、その浸入を防ぐようにしてもよい。
【００５０】
「実施例１の作用」
図１に示すものは、葡萄棚（図省略）に沿わせて栽培される葡萄のつるＢから果層ＳL
および果梗Ｓを介して垂下され、作業者の顔面（図省略）上方に位置する葡萄Ｇに向けて両手Ｈを指し伸べながら指Ｆで開閉口部１０を最大に開口し葡萄Ｇに果菜類保護カバー１１を被せようとしている状態を示すものである。
【００５１】
図２および図４に示すものは、葡萄Ｇに果菜類保護カバー１１を被せ、開閉口部１０を果梗Ｓの最適位置に位置させ一方の手Ｈの指Ｆでクランプ４（図省略）を挟持しながら、他方の手Ｈの指Ｆで紐３の端末に付設される、つまみ部３３を引くことにより、開閉口部１０は瞬時に集縛閉口される。このように左右いずれかの手Ｈによる動作で果菜類保護カバー１１を果梗Ｓに集縛閉口して固定される。このようにして迅速に果菜類保護カバー１１を葡萄Ｇの果梗Ｓへの取り付け作業を終了することが出来る。
また、図４（ａ）にみられる状態からさらにクランプ４を挟持しながらつまみ部３３を引くと開閉口部１０の外周部が第一片シート側４１と第二片シート側４３を押し開き、図４（ａ）の拡大図にみられる第一片露出側４２と第二片露出側４４に作用する逆止力は強まる。これにより開閉口部１０の果梗Ｓに対する締め付け力も強まり開閉口部１０を果梗Ｓに確実な取り付けが可能となる。
【００５２】
図２にみられる状態の果菜類保護カバー１１を取り外す場合は、例えば、図３，４にみられる折り返し部３４を左手の親指と人差し指（図省略）とで把持し、右手の親指と人差し指（図省略）とでクランプ４を把持し、夫々粗同時に左右に引くことにより開閉口部１０は瞬時に開縛開放される。これにより、果菜類保護カバー１１を果梗Ｓおよび葡萄Ｇから簡単に、そしてスピーディに取り外すことが出来る。
【００５３】
上記図１〜図５にみられる「実施例１の構成」および「実施例１の作用」の説明により明らかなように、前記課題１，２，３，７を克服し、前記ニーズ１，２，５，６，７に応えることが可能となる
【実施例２】
【００５４】
「実施例２の構成」
図６〜図１１は本実施例２を示し、図８にみられるように本実施例で対象とする果実は、その質量が大きく、台風などの影響を受けて落果しやすいとされるナシＰに本実施例２の果菜類保護カバー１２を用いられる場合に付いて説明する。
【００５５】
図６にみられるものは、シート上側２３を例えば弾力性と柔軟性に富む合成樹脂を用いられ、シート下側２４を従来から広く用いられている紙とで構成された果菜類保護カバー１２を、ナシＰが幼果期に果菜類保護カバー１２を被せようとされている状態を示している。
【００５６】
図７にみられるものは、上下異なる材質のシート上側２３とシート下側２４とで形成された果菜類保護カバー１２の開閉口部１０の周部に留め具５を貼着された果菜類保護カバー１２をナシＰの果梗Ｓの適宜な位置に取り付けようとされている状態を示している。
【００５７】
図８にみられるものは、夫々異なる材質のシート上側２３とシート下側２４とで形成された果菜類保護カバー１２の形態を示すと共に、収穫期を迎え肥大したナシＰが底２１に接触しナシＰの質量の一部が支持され、果菜類保護カバー１２と集縛閉口され果梗Ｓに固定された開閉口部１０との間に張力が作用している状態を示し、さらに露出部３２をクランプ４側から枝Ｂの上側に掛け回し留具５に向けて引き下ろし、留具５に露出部３２が係留されてことを示している。
【００５８】
図９（ａ）に示すものは、開閉口部１０の一端部に形成されるシート上側２３の折り曲げ部の外面に配設されるクランプ４が適宜の接着剤により貼り付けられ、対向端部に留め具５が配置され、該留め具５は、シート上側２３の折り曲げ部の外面に適宜の接着剤により貼り付けられている。
【００５９】
図９（ｂ）に示すものは、クランプ４が開閉口部１０の一端部に配設され、他端部に留め具５が配設されていることを示している。
【００６０】
図１０（ａ）に示すものは、開閉口部１０の閉口直前における果菜類保護カバー１２の上面の状態を示し、この状態におけるクランプ４と該留め具５の位置関係を示している。
【００６１】
図１０（ｂ）に示すものは、開閉口部１０の閉口直前における果菜類保護カバー１２の側面の状態を示し、この状態におけるクランプ４と該留め具５の位置関係を示すと共に、留め具５の内側とシート２が接着剤で貼着されかつ紐３が留め具５を巻き込むように配置されている。（拡大詳細図省略）これにより留め具５は所定の位置から移動するのを防止される。
【００６２】
図１１（ａ）にみられるものは、留め具５の斜視図であって、紐３を巻回して係留する上突起部５１および下突起部５２が留め具５に形成されていることを示している。
【００６３】
図１１（ｂ）にみられるものは、留め具５の側面図であって、紐３を巻回して係留する上突起部５１および下突起部５２が留め具５に形成されていることを示している。
【００６４】
図１１（ｃ）にみられるものは、留め具５のＡ−Ａ断面図であって、その断面は、略Ｙ字状に形成されていることを示している。そして略Ｙ字状の凹部５０, ５０を、図１０（ａ）にみられるクランプ４の対向位置にシート２と貼着されており所定の位置からずれない。（拡大詳細図省略）
【００６５】
「実施例２の作用」
図６に示すものは、ナシ棚（図省略）に沿わせて栽培されるナシの枝Ｂから果層ＳＬおよび果梗Ｓを介して垂下され、作業者の顔面（図省略）上方に位置するナシＰに向けて両手Ｈを指し伸べながら指Ｆで開閉口部１０を最大に開口し、ナシＰの幼果に果菜類保護カバー１２を被せようとしている状態を示すものである。
【００６６】
図７に示すものは、幼果期のナシＰに果菜類保護カバー１２を被せ、開閉口部１０を果梗Ｓの最適位置に位置させ一方の手Ｈの指Ｆでクランプ４（図省略）を挟持しながら、他方の手Ｈの指Ｆで紐３の端末に付設される、つまみ部３３を引くことにより、開閉口部１０は瞬時に集縛閉口される。このように左右いずれかの手Ｈによる一つの操作のみで果菜類保護カバー１２を果梗Ｓに集縛閉口して固定される。このように簡単に、かつ迅速確実に果菜類保護カバー１２をナシＰに取り付ける作業を終了することが出来る。
【００６７】
図７にみられる状態の果菜類保護カバー１２を取り外す場合は、例えば、図７，８にみられる折り返し部３４を左手の親指と人差し指（図省略）とで把持し、右手の親指と人差し指（図省略）とでクランプ４を把持し、夫々粗同時に左右に引くことにより開閉口部１０は瞬時に開縛開放されるので、果菜類保護カバー１２を果梗ＳおよびナシＰから一つの動作のみで素早く果菜類保護カバー１２を取り外すことが出来る。
【００６８】
上記図６，７にみられる「実施例２の構成」および「実施例２の作用」によれば、前記課題１，２を克服し、前記ニーズ１，２，５，６，８に応えることが可能となる。
【００６９】
図８にみられるものは、一般に台風シーズンと重なるように、収穫期を迎え肥大化したナシＰの底部が果菜類保護カバー１２の底２１に着座し、ナシＰの質量の一部を支持され果菜類保護カバー１２に下向きの張力が作用している。この張力は果梗Ｓに集縛固定された開閉口部１０を介して果梗Ｓを下方に引き下げ枝Ｂと果梗Ｓとの間に形成され、引力方向に対する強度が最も低いとされる果層ＳＬは破壊され果層ＳＬが離層しナシＰは落果するという危険な状態に晒されている。この危険な状態を緩和するため紐３の露出部３２を枝Ｂに巻回された紐３は留め具５に巻き掛け係留（係留形態の拡大詳細図省略）され紐３によりナシＰの重力の一部を負担されることとなり危険な状態が緩和される。
さらに、図６，７，８にみられるように、上下異なる材質のシート上側２３を柔軟性に富む合成樹脂を用いられると、開閉口部１０を開閉操作する場合に開閉口部１０に皺が形成されやすいため、開閉口部１０のスムーズな開閉が行なえる。
【００７０】
上記作用により、前記課題１，２，３，５，６、を克服し、前記ニーズ１，２，３，５，６に応えることが出来る。
【実施例３】
【００７１】
「実施例３の構成」
図１２〜図１５は本実施例３を示し、本実施例の果菜類保護カバー１３は可撓性を有し、襞を形成可能な合成樹脂でしかも耐久性に優れるものを採用されるとよい。
【００７２】
図１２にみられるように、開閉口部１０の上端部近傍の両側端部にクランプ４と対向クランプ７とが配設されている。
【００７３】
図１３にみられるように、果菜類保護カバー１３の下方は一つの孔２２が形成されている。これは果菜類保護カバー１３内部の通気性を良好にして果菜類がムレないようにするためである。この孔２２から虫が侵入して被害を及ぼすような場合は、網または通気性を有する布を貼着してもよい。
【００７４】
図１４（ａ）および図１４（ｂ）にみられるようにシート２の上端部近傍に襞を形成し、この襞に適宜間隔を設けて穿孔される孔をガイド部２０１として活用され、このガイド部２０１に紐３と対向紐６が挿通されている。
そして、開閉口部１０の上端部の両側面にクランプ４と対向クランプ７が配設されており、第一片シート側４１と第二片シート側４３および第一片シート側７１および第二片シート側７３の内側を開閉口部１０の外面に適宜の接着剤で貼着されている。
【００７５】
図１５（ａ）および図１５（ｂ）にみられるものは、閉口途中における開口部１０に形成される襞の形状を示すものである。
【００７６】
「実施例３の作用」
図１２にみられるように、開閉口部１０を最大に開口し、ナスＥに被せようとしている状態を示し、この状態における紐３および対向紐６はガイド部２０１側へ最も移動している。
【００７７】
図１３に示すように、ナスＥの果梗Ｓに開閉口部１０を位置させ、右手の親指と人差し指でつまみ部３３を挟持し、左手の親指と人差し指でつまみ部６３を挟持し、夫々外方に引くことにより開閉口部１０が瞬時に閉じられる。
【００７８】
また、つまみ部３３，６３を牽引される力の大きさにしたがって開閉口部１０は果梗Ｓに適度な拘束力で集縛固定される。これにより、果菜類保護カバー１３とナスＥは常に一体的に動くため、風力或は管理作業者および農機具等との接触による外的要因によって果菜類保護カバー１３が揺らされても容器の内壁と果実の表面とが擦れ合って果実へのキズ付きは抑制される。
【００７９】
そして、開閉口部１０を開口する場合は右手の親指と人差し指でクランプ４を所定の力で挟持し、左手の親指と人差し指で対向クランプ７を所定の力で挟持し、夫々外方に引くことにより開閉口部１０は瞬時に解縛開放される。これにより果菜類保護カバー１３の取り付け取り外し作業が格段に向上する。
【００８０】
さらに、変形可能な合成時樹脂により形成される本実施例の果菜類保護カバー１３によれば果菜類保護カバー１３を使用されないシーズンオフ時には果菜類保護カバー１３の内側に果菜類保護カバー１３の外側を挿入することができる。これを複数回繰り返すことによりコンパクトに収納することができる（図省略）
【００８１】
上記実施例３によると、前記課題１，２，３，４，５，６，７，８を克服し、前記ニーズ１，２，３，４，５，６，７，８に応えることが可能となる。
【産業上の利用可能性】
【００８２】
以上のように、本発明に係わる果菜類保護カバー１１、１２、１３を用いられると果菜類保護カバーの製造コストが低いため安価に提供され、簡便に且つ迅速、確実に果菜類保護カバーの取り付け、取り外しが可能になり、果菜類栽培に好適に利用することができる。
【００８３】
その他本発明は、上述した実施例に限定されることなく、本発明の主旨を逸脱しない範囲で適宜構成の付加、削除および各実施例間での部材などの組み替えが可能である。
【符号の説明】
【００８４】
１０      開閉口部
１１      果菜類保護カバー（実施例１）
１２      果菜類保護カバー（実施例２）
１３      果菜類保護カバー（実施例３）
２      シート
２０      ガイド部
２１      底
２２      孔
２３      上側
２４      下側
３      紐
３０      導通部
３１      貫通部
３２      露出部
３３      つまみ部
４      クランプ
４０      支点
４１      第一片シート側
４２      第一片露出側
４３      第二片シート側
４４      第二片露出側
４５      貫通孔
５      留め具
６      対向紐
６０      対向導通部
６１      対向貫通部
６２      対向露出部
６３      つまみ部
７      対向クランプ
７０      支点
７１      第一片シート側
７２      第一片露出側
７３      第二片シート側
７４      第二片露出側
７５      貫通孔
Ｇ      葡萄
Ｐ      ナシ
Ｅ      ナス
Ｈ      手
Ｚ      支点軸
Ｆ      指
Ｂ      枝
Ｓ      果梗
ＳＬ      果層
【図１】
2013158268.tif 000003
【図２】
2013158268.tif 000004
【図３】
2013158268.tif 000005
【図４】
2013158268.tif 000006
【図５】
2013158268.tif 000007
【図６】
2013158268.tif 000008
【図７】
2013158268.tif 000009
【図８】
2013158268.tif 000010
【図９】
2013158268.tif 000011
【図１０】
2013158268.tif 000012
【図１１】
2013158268.tif 000013
【図１２】
2013158268.tif 000014
【図１３】
2013158268.tif 000015
【図１４】
2013158268.tif 000016
【図１５】
2013158268.tif 000017